(57)【要約】【課題】  機器固有の信号の特質を再現することで、低コストかつ高信頼なファクシミリ通信の検証を可能とするファクシミリ通信試験装置を実現する。【解決手段】  ファクシミリ通信の正常性を確認するファクシミリ通信試験装置において、通信端末間の通信信号を入力する信号入力部と、信号入力部に入力された通信信号を分析してこの通信信号に含まれるファクシミリ信号中の信号情報を検出する検出部と、検出部で検出された前記信号情報をプロトコル手順により分類する信号制御部と、信号制御部からの分類情報により信号情報を信号の種別毎の信号部品に分離する信号分離部と、信号分離部で分離された信号部品を信号部品蓄積部に格納する信号部品格納部とを有する。【選択図】      図１
2006217179.tif 000002
【特許請求の範囲】
【請求項１】
ファクシミリ通信の正常性を確認するファクシミリ通信試験装置において、
通信端末間の通信信号を入力する信号入力部と、
前記信号入力部に入力された前記通信信号を分析してこの通信信号に含まれるファクシミリ信号中の信号情報を検出する検出部と、
前記検出部で検出された前記信号情報をプロトコル手順により分類する信号制御部と、
前記信号制御部からの分類情報により前記信号情報を信号の種別毎の信号部品に分離する信号分離部と、
前記信号分離部で分離された前記信号部品を信号部品蓄積部に格納する信号部品格納部とを有することを特徴とするファクシミリ通信試験装置。
【請求項２】
請求項１のファクシミリ通信試験装置において、
更に、前記信号部品蓄積部から信号部品を取り出し、信号出力部に送出する信号部品取出部を有することを特徴とするファクシミリ通信試験装置。
【請求項３】
前記音声検出部は、
特定信号周波数、複数の周波数成分の周期性または信号パワーの有無や大小による信号単位の切れ目や近端遠端により前記信号情報を検出することを特徴とする請求項１または２に記載のファクシミリ通信試験装置。
【請求項４】
前記信号制御部は、
Ｔ．３０勧告の制御手順により前記ファクシミリ信号に含まれる信号情報を分類することを特徴とする請求項１または２に記載のファクシミリ通信試験装置。
【請求項５】
前記信号制御部は、
前記端末からの信号に応じて通信プロトコル制御手順による応答信号の信号部品を前記信号部品蓄積部から取り出すことを特徴とする請求項２に記載のファクシミリ通信試験装置。
【請求項６】
前記信号制御部は、
前記端末からの信号に応じてＴ．３０勧告の制御手順による応答信号の信号部品を前記信号部品蓄積部から取り出すことを特徴とする請求項５に記載のファクシミリ通信試験装置。
【請求項７】
ファクシミリ通信の正常性を確認するファクシミリ通信試験装置において、
通信端末間の通信信号を入力する信号入力部と、
前記信号入力部に入力された前記通信信号を分析して信号情報を検出する検出部と、
前記信号入力部に入力された前記通信信号をモデムにより復調し、モデム信号をデータ列に復調するモデム復調部と、
前記検出部で検出された前記信号情報をプロトコル手順およびモデム復調情報により分類する信号制御部と、
前記信号制御部からの分類情報により前記信号情報を信号の種別毎の信号部品に分離する信号分離部と、
前記信号分離部で分離された前記信号部品および前記モデム復調部で復調されたデータ情報を信号部品蓄積部に格納する信号部品格納部とを有することを特徴とするファクシミリ通信試験装置。
【請求項８】
請求項７のファクシミリ通信試験装置において、
更に、前記信号部品蓄積部から信号部品を取り出し、信号出力部に送出する信号部品取出部と、
前記信号部品取出部およびモデム復調部から信号波形を入力し、前記端末へ音声信号送出する信号出力部とを有し
モデム復調部は、通信状況により前記信号部品取出部からの信号部品に替えて前記信号制御部からの制御情報により信号を送出することを特徴とするファクシミリ通信試験装置。
【請求項９】
前記音声検出部は、
特定信号周波数、複数の周波数成分の周期性または信号パワーの有無や大小による信号単位の切れ目や近端遠端により前記信号情報を検出することを特徴とする請求項７または８に記載のファクシミリ通信試験装置。
【請求項１０】
前記信号制御部は、
前記信号情報およびモデム復調情報と共に通信プロトコル制御手順をもとにファクシミリ信号を分類することを特徴とする請求項７または８に記載のファクシミリ通信試験装置。
【発明の詳細な説明】
【技術分野】
【０００１】
本発明は、ファクシミリ通信の試験用機器に関するものであり、特に、テスト信号の収録機能を有するファクシミリ通信試験装置に適用して好適なものである。
【背景技術】
【０００２】
近年、インターネット等のデータ通信網を利用した音声通信（ＶｏＩＰ（Ｖｏｉｃｅ  ｏｖｅｒ  Ｉｎｔｅｒｎｅｔ  Ｐｒｏｔｏｃｏｌ）等）が注目されている。ＶｏＩＰ通話では電話機と同様にファクシミリ端末をつないでファクシミリ通信を行いたいという要望があり、インバンド方式、アウトバンド方式などにより、このような要望に対応する必要が生じている。従って、ＶｏＩＰ端末の設計の際には、これらの通信の評価、検証を行う必要がある。
評価、検証の際には、様々なファクシミリ端末の組み合わせを実際に使用して検証する。また、これらの検証工程を自動化するためのファクシミリシミュレータのようなハードウェアも存在する。
【０００３】
なお、ファクシミリ通信は、ＩＴＵ−Ｔ  Ｔ．３０勧告（日本では、ＴＴＣ  ＪＴ−Ｔ３０勧告）によって規定されている。
【非特許文献１】ＩＴＵ−Ｔ  Ｔ．３０勧告
【非特許文献２】ＴＴＣ  ＪＴ−Ｔ３０勧告
【発明の開示】
【発明が解決しようとする課題】
【０００４】
実際のファクシミリ通信検証作業では、一般に普及する製品を検証するため、大量のファクシミリ端末を用意する必要がある。これはコスト的、スペース的に効率的でない。また、個々の端末の通信動作を人の手によって行う必要があり、非常に手間がかかる。
ファクシミリシミュレータを用いる場合でも、ファクシミリシミュレータ自体が概ね固有のモデムチップを用いてタイミングのみを制御する構造のため、機器固有の信号の特質を再現するには至らないことが多く、検証作業としては不十分になることが多い。
【０００５】
本発明は、以上の点を鑑みて、既存のファクシミリ端末間の通信を元にしてファクシミリ通信のシミュレーション用データを作成し、このデータを用いたファクシミリ通信を模擬再現することで、実際のファクシミリを用いた通信により近い検証環境を実現しようとするものである。
これによって、検証作業の精度をより高めることが可能となる。また、ファクシミリ通信のデータを取得さえすれば、実際のファクシミリ端末は以降必要が無いため、検証環境の効率を上げることも可能となる。
【課題を解決するための手段】
【０００６】
かかる課題を解決するため、本発明は、ファクシミリ通信の正常性を確認するファクシミリ通信試験装置において、通信端末間の通信信号を入力する信号入力部と、信号入力部に入力された通信信号を分析してこの通信信号に含まれるファクシミリ信号中の信号情報を検出する検出部と、検出部で検出された信号情報をプロトコル手順により分類する信号制御部と、信号制御部からの分類情報により信号情報を信号の種別毎の信号部品に分離する信号分離部と、信号分離部で分離された信号部品を信号部品蓄積部に格納する信号部品格納部とを有するものである。更に、信号部品蓄積部から信号部品を取り出し、信号出力部に送出する信号部品取出部を有するものである。
【０００７】
また、本発明は、ファクシミリ通信の正常性を確認するファクシミリ通信試験装置において、通信端末間の通信信号を入力する信号入力部と、信号入力部に入力された通信信号を分析して信号情報を検出する検出部と、信号入力部に入力された通信信号をモデムにより復調し、モデム信号をデータ列に復調するモデム復調部と、検出部で検出された信号情報をプロトコル手順およびモデム復調情報により分類する信号制御部と、信号制御部からの分類情報により信号情報を信号の種別毎の信号部品に分離する信号分離部と、信号分離部で分離された信号部品およびモデム復調部で復調されたデータ情報を信号部品蓄積部に格納する信号部品格納部とを有するものである。更に、信号部品蓄積部から信号部品を取り出し、信号出力部に送出する信号部品取出部と、信号部品取出部およびモデム復調部から信号波形を入力し、端末へ音声信号送出する信号出力部とを有し、モデム復調部は、通信状況により信号部品取出部からの信号部品に替えて信号制御部からの制御情報により信号を送出するものである。
【発明の効果】
【０００８】
本発明によれば、実際のファクシミリ端末間で通信を行う際の信号パターンを信号部品データベースに随時蓄積することができ、ファクシミリ端末の応答信号を模擬再現する事で、実際のファクシミリ端末間で行う通信を模擬再現することができる。
また、モデム復調を併用することで、データベースに蓄積する信号の情報の精度を高めると同時に、信号の内容を合わせて蓄積する事ができる。
【０００９】
更に、異常通信などが生じた場合においても、モデム変調部による処理によって通信の検証を継続することが可能となる。
また、収録と模擬再現信号による検証作業を同時に行うことで、検証作業をより効率的に行うことができる。
【発明を実施するための最良の形態】
【００１０】
（Ａ）第１の実施形態
以下、本発明によるファクシミリ通信試験装置の第１の実施形態を図面を参照しながら詳述する。
【００１１】
（Ａ−１）第１の実施形態の構成
本発明は、実際のファクシミリ通信の信号をＰＣＭ（Ｐｕｌｓｅ  Ｃｏｄｅ  Ｍｏｄｕｌａｔｉｏｎ）信号として収録し、個々のファクシミリからの信号を個別のパーツとして信号波形情報として保存して、実際のファクシミリ通信の試験信号として使用して、ファクシミリ通信の模擬再現環境を実現する。
【００１２】
図１は、本発明の第１の実施例のファクシミリ通信試験装置の構成を示す。
ファクシミリ端末間の通信は、Ｇ．３ファクシミリ同士の場合は単方向通信となる。各ファクシミリ端末からの信号はお互いに無音区間で区切られていて、信号の順序はＴ．３０勧告に基づく手順で進行する。具体的には、図２に示すように、ファクシミリ通信の信号波形の例としては、ＣＮＧ（ＣＡＬＬＩＮＧの略称）信号、ＣＥＤ（ＣＡＬＬＥＤの略称）信号、Ｖ．２１信号、ＥＰＴ(エコープロテクショントーン：エコーキャンセラ動作を制御する信号)信号、高速モデム信号等からなる。
【００１３】
ファクシミリ端末２は、ネットワークを介してファクシミリ端末３と接続される。この際のファクシミリ端末２および３間の回線は公衆回線、ＰＢＸ（Ｐｒｉｖａｔｅ  Ｂｒａｎｃｈ  Ｅｘｃｈａｎｇｅ）回線、ＩＰ（Ｉｎｔｅｒｎｅｔ  Ｐｒｏｔｏｃｏｌ）電話回線等である。
【００１４】
信号入力部１０１は、ファクシミリ端末２、音声検出部１０２および信号分離部にそれぞれ接続され、音声信号が入力される。図１では、ファクシミリ端末２から信号入力部１０１への分岐点はファクシミリ端末２に近い側に設けているが、分岐点はこれに限定されるものでは無い。
【００１５】
音声検出部１０２は、信号入力部１０１および信号制御部１０４にそれぞれ接続され、入力信号を分析して、信号の種類（ＣＮＧ信号、ＣＥＤ信号、Ｖ．２１信号等）やそのパワー情報を検出する。検出した情報は信号制御部１０４に入力される。検出基準は、例えば、ＣＮＧ信号、ＣＥＤ信号、ＥＰＴ信号など特定の信号周波数によって区別できる信号や、プリアンブル信号のように複数の周波数成分の周期性によって区別できる信号、信号パワーの有無や大小によって信号単位の切れ目や近端遠端を区別するなどの方法があるが、これに限定するものではない。
【００１６】
信号分離部１０３は、信号入力部１０１、信号制御部１０４および信号部品格納部にそれぞれ接続され、信号制御部１０４の制御に基づいて、入力信号を各端末方向への個別の信号毎に切り分けて信号部品格納部１０５へ送出する。この際に、各ファクシミリ端末の固体情報を与えることによって信号部品データベース１０６にはファクシミリ端末毎の信号部品が蓄積される。
【００１７】
信号制御部１０４は、音声検出部１０２、信号分離部１０３、信号部品格納部１０５、信号出力部１０７および信号部品取出部１０８にそれぞれ接続され、Ｔ．３０勧告の手順による応答信号の信号部品を信号部品データベース１０６から選択するよう、信号部品取出部１０８に指示する。この際の選択指示は、対象とするファクシミリのモデルやファクシミリ端末２の信号に対する応答の選択、送出タイミングや信号レベルの制御（これらは信号出力部１０７への指示）などを考慮して行われる。
【００１８】
信号部品格納部１０５は、信号分離部１０３、信号制御部１０４および信号部品データベース１０６にそれぞれ接続され、信号分離部１０３からの入力を信号制御部１０４の情報を元にして信号部品データベース１０６へ選別して格納する。
信号部品データベース１０６は、信号部品格納部１０５および信号部品取出部１０８にそれぞれ接続され、信号部品格納部１０５からの選別された入力を格納する。
【００１９】
信号部品取出部１０８は、制御信号に基づいて信号部品データベース１０６の部分信号を取り出し、信号出力部１０７へ送出する。
信号出力部１０７は、信号波形を音声信号としてファクシミリ端末へ送出する。
【００２０】
（Ａ−２）第１の実施形態の動作
以下、第１の実施形態のファクシミリ試験装置の動作を、図３および４を用いて、信号部品を収集、格納する場合、信号部品を用いて擬似通信を行う場合の順で説明する。
【００２１】
信号部品を収集、格納する手順としては、図３に示すように、まず、ファクシミリ端末２とファクシミリ端末３との間でファクシミリ通信を行う（Ｓ１０１）。
ファクシミリ端末２および３間の音声信号は信号入力部１０１および信号分離部１０３に入力される（Ｓ１０２）。この音声信号は、音声およびファクシミリ信号を含むアナログの波形信号である。
【００２２】
信号入力部１０１に入力された音声信号は音声検出部１０２に入力される。入力された音声信号は分析され、ファクシミリ信号に含まれる信号の種類（ＣＥＤ信号、ＣＮＧ信号、Ｖ．２１信号等）やそのパワ情報が検出される。検出された情報は信号制御部１０４に入力される（Ｓ１０３）。
【００２３】
音声検出部１０２から入力された情報により信号制御部１０４では、Ｔ．３０勧告の制御手順（例えば、ＪＴ−Ｔ３０勧告、３９ページの図３−６に示すメッセージ手順など）を元にしてファクシミリ信号に含まれる信号を分類する（Ｓ１０４）。
【００２４】
信号分離部１０３に入力された音声信号は、信号制御部１０４の制御に基づいて各端末方向への個別の信号毎に切り分けられ、信号部品格納部１０５へ送出される（Ｓ１０５）。切り分け方の例としては、無音区間毎に切り出して、信号の手順毎に分類する方法がある。
【００２５】
信号分離部１０３で区間信号として切り分けられた信号は、信号部品格納部１０５によって信号部品データベース１０６へ選別格納される（Ｓ１０６）。格納に際しては、各ファクシミリ端末の固体情報（例えば、メーカ種別、製品種別、通信モードなど）を与えることによって信号部品データベース１０６にはファクシミリ端末毎の信号部品を蓄積することができる。
【００２６】
以上の動作をファクシミリ端末を変える度に繰り返すことで、信号部品データベース１０６に各種のファクシミリ端末の信号パターンを音声信号としての特質を維持したまま蓄積することが出来る。
なお、これらの検出、分類、蓄積動作は信号の受信と同時にリアルタイムに行っても、蓄積した信号を別途処理しても良い。
【００２７】
次に、信号部品を用いて擬似通信を行う場合の動作を説明する。
【００２８】
図４に示すように、まず、ファクシミリ端末２およびファクシミリ通信試験装置１間でファクシミリ通信を行い、ファクシミリ端末２および通信試験装置１間の音声信号は信号入力部１０１に入力される（Ｓ２０１）。
【００２９】
信号入力部１０１からの入力は、音声検出部１０２でファクシミリ端末２からの信号として分類される（Ｓ２０２）。音声検出部１０２での検出基準は、例えば、ＣＥＤ信号、ＣＮＧ信号、ＥＰＴ信号など特定の信号周波数によって区別できる信号や、プリアンブル信号のように複数の周波数成分の周期性によって区別できる信号、また信号パワーの有無や大小によって信号単位の切れ目や近端遠端を区別するなどの方法がある。
【００３０】
ファクシミリ端末２からの信号に応じて、信号制御部１０４ではＴ．３０勧告の手順による応答信号の信号部品を信号部品データベース１０６から選択するよう、信号部品取出部１０８に指示する（Ｓ２０３）。この際、対象とするファクシミリ機のモデルやファクシミリ端末２０１の信号に対する応答の選択、送出タイミングや信号レベルの制御（これらは信号出力部１０７への指示）などを考慮して行う。
【００３１】
信号制御部１０４の制御信号により信号部品取出部１０８は、信号部品データベース１０６の部分信号を取り出し、信号出力部１０７へ送出する（Ｓ２０４）。
信号部品データベース１０６から取り出された部分信号は、信号波形を音声信号として信号出力部１０７へ送出され、信号レベルやタイミングの調整を受けて、ファクシミリ端末２へ送出される（Ｓ２０５）。
【００３２】
以上の動作をファクシミリ端末の応答に応じて行うことで、ファクシミリ通信の模擬再現が実現できる。このとき、信号部品データベース１０６の各種ファクシミリ端末の信号パターンを使用することで、擬似的に実際のファクシミリの通信条件を再現することができる。
【００３３】
（Ａ−３）第１の実施形態の効果
以上説明した第１の実施形態によれば、実際のファクシミリ端末間で通信を行う際の信号のパターンを信号部品データベースに随時蓄積することができる。このデータベースの情報には、音声信号の特質（端末毎の個体差など）を維持して蓄積することができる。
【００３４】
また、実際のファクシミリ端末間で行う通信を模擬再現することができる。このデータベースの情報には、音声信号の特質（端末毎の個体差など）が維持されており、より実際の機器を使用した通信試験に近い検証結果を得ることができる。
また、信号収録と模擬再現信号による検証作業を同時に行うことで、検証作業をより効率的に行うことができる。
【００３５】
（Ｂ）第２の実施形態
次に、本発明によるファクシミリ通信試験装置の第２の実施形態を図面を参照しながら詳述する。
【００３６】
（Ｂ−１）第２の実施形態の構成
図５は、本発明の第２の実施形態のファクシミリ通信試験装置の構成を示す。
第２の実施形態のファクシミリ通信試験装置は、本発明の第１の実施形態のファクシミリ通信試験装置の構成にモデム復調部１０９およびモデム変調部１１０を加えたものである。
【００３７】
以下ではモデム復調部１０９およびモデム変調部１１０を中心に説明する。
モデム復調部１０９は、信号入力部１０１および信号制御部１０４に接続され、入力信号をモデムにより復調し、モデム信号をデータ列に復調する。
【００３８】
信号制御部１０４は、音声検出部１０２、信号分離部１０３、信号部品格納部１０５、信号部品データベース１０６、信号部品取出部１０８、モデム復調部１０９およびモデム変調部１１０にそれぞれ接続され、音声検出部１０２の情報とモデム復調部１０９の情報、およびＴ．３０勧告の制御手順を元にしてファクシミリ信号を分類する。
【００３９】
モデム変調部１１０は、信号制御部１０４および信号出力部１１１にそれぞれ接続され、異常通信処理等の際に、信号制御部１０４から信号部品取出部１０８への指示の替わりに信号送出の情報を受信し、信号の変調を行う。
【００４０】
信号部品格納部１０５は、信号分離部１０３、信号制御部１０４、および信号部品データベース１０６にそれぞれ接続され、信号分離部１０３からの入力を信号制御部１０４の情報を元にして信号部品データベース１０６へ選別して格納する。この際、モデム復調部１０９で復調されたデータの情報も合わせて信号部品データベース１０６に格納される。
【００４１】
信号部品取出部１０８は、信号制御部１０４および信号部品データベース１０６にそれぞれ接続され、信号制御部１０４からのファクシミリ端末２の信号の種類と、Ｔ．３０勧告の手順に基づいた制御信号により信号部品データベース１０６の部分信号を取り出し、信号出力部１１１へ送出する。
【００４２】
信号出力部１１１は、信号部品取出部１０８とモデム変調部１１０からの信号波形を受けて音声信号としてファクシミリ端末へ送出する。
【００４３】
（Ｂ−２）第２の実施形態の動作
次に、第２の実施形態のファクシミリ通信試験装置の動作を、図６および７を用いて、第１の実施形態同様、信号部品を収集、格納する場合、信号部品を用いて擬似通信を行う場合の順で説明する。
【００４４】
信号部品を収集、格納する場合の手順としては、図６に示すように、まず、信号入力部１０１からの入力は音声検出部１０２で各端末方向からの信号の単位として区別される（Ｓ３０１）。音声検出部１０２での検出基準は、例えば、ＣＥＤ信号、ＣＮＧ信号、ＥＰＴ信号など特定の信号周波数によって区別できる信号や、プリアンブル信号のように複数の周波数成分の周期性によって区別できる信号、信号パワーの有無や大小によって信号単位の切れ目や近端遠端を区別するなどの方法があるが、これに限定するものではない。
【００４５】
信号入力部１０１からモデム復調部１０９に入力された音声信号は、モデム復調され、データ情報（例えば、ＪＴ−Ｔ３０勧告、６９ページの図５−１に示すバイナリコード信号で示されるデータ）に変換される（Ｓ３０２）。モデムによる復調情報を用いるのは、実際のファクシミリ通信で生じる通信エラーの影響を排除することや、個々の端末固有の情報や通信設定の情報を合わせてデータベースに取り込むことで、より精度の高い模擬再現のためのデータベースを構築するためである。
【００４６】
各信号単位は信号分離部１０３で区間信号として切り分けられる（Ｓ３０３）。
切り分けられた信号は信号部品格納部１０５によって信号部品データベース１０６へ選別格納される（Ｓ３０４）。この際に、各ファクシミリ端末の固体情報を与えることによって信号部品データベースにはファクシミリ端末毎の信号部品を蓄積することができる。また、モデム復調部１０９で復調されたデータも付帯情報として合わせて格納する。この動作をファクシミリ端末が変わるたびに繰り返すことで、信号部品データベース１０６に各種のファクシミリ端末の信号パターンを音声信号としての特質を維持したままに蓄積することができる。
【００４７】
なお、これらの検出、分類、蓄積動作は信号の受信と同時にリアルタイムに行っても、バッファリングした信号を別途処理しても良い。
【００４８】
次に、図７を用いて信号部品を用いて擬似通信を行う場合の手順を説明する。
ファクシミリ端末との通信は、Ｇ．３ファクシミリ同士の場合は単方向通信となる。各ファクシミリ端末からの信号はお互いに無音区間で区切られていて、信号の順序はＴ．３０勧告に基づく手順で進行する。
【００４９】
信号入力部１０１からの入力は音声検出部１０２でファクシミリ端末２からの信号として分類される（Ｓ４０１）。音声検出部１０２での検出基準は、音声情報の収集、格納の場合と同様である。
【００５０】
ファクシミリ端末２からの信号に応じて、信号制御部１０４はＴ．３０勧告の手順による応答信号の信号部品を信号部品データベース１０６から選択するよう、信号部品取出部１０８に指示する（Ｓ４０２）。この際、対象とするファクシミリのモデルやファクシミリ端末２の信号に対する応答の選択、送出タイミングや信号レベルの制御（これらは信号出力部１０７への指示）などを考慮して行う。
【００５１】
ファクシミリ端末２との通信の状況に応じて、信号部品データベース１０６に無い信号波形が必要になった場合、信号制御部１０４は、信号部品取出部１０８への指示に替えてモデム変調部１１０へ信号送出の指示を出す（Ｓ４０３）。これは、通常の通信状況ではなく、異常動作の検証などが必要な場合に、データベースの情報だけでは不足する状況が想定される場合への対処である。
【００５２】
信号部品取出部１０８およびモデム変調部１１０の出力は、信号出力部１０７へ送出され、信号レベルやタイミングの調整を受けて、ファクシミリ端末２へ送出される（Ｓ４０４）。この際、信号出力部１１１に入力される信号はどちらか一方だけであり、信号が衝突することは無い。
【００５３】
以上の動作をファクシミリ端末の応答に応じて行うことで、ファクシミリ通信の模擬再現が実現できる。このとき、信号部品データベース１０６の各種ファクシミリ端末の信号パターンを使用することで、擬似的に実際のファクシミリの通信条件を再現することができる。また、モデム変調部１１０を補助に使用することで、検証動作のバリエーションを増やし、異常動作への対処などを加味することができる。
【００５４】
（Ｂ−３）第２の実施形態の効果
第２の実施形態によって、実際のファクシミリ端末間で通信を行う際の信号のパターンを信号部品データベースに随時蓄積することができる。このデータベースの情報には、音声信号の特質（各端末の個体差など）を維持して蓄積することができる。また、モデム復調を併用することで、データベースに蓄積する信号の情報の精度を高めると同時に、信号の内容を合わせて蓄積することができる。
【００５５】
また、実際のファクシミリ端末間で行う通信を模擬再現することが出来る。このデータベースの情報には、音声信号の特質（各端末の個体差など）が維持されており、より実際の機器を使用した通信試験に近い検証結果を得ることができる。更に、異常通信などが生じた場合においても、モデム変調部による処理によって通信の検証を継続することができる。
【００５６】
（Ｃ）他の実施形態
上記各実施形態の説明においても、種々の変形実施形態について言及したが、以下に例示するような変形実施形態を挙げることができる。
上記第１および第２の実施形態においては、信号パターンをデータベース蓄積するための構成と擬似再現信号による検証作業を行うための構成をともに有するファクシミリ通信試験装置について説明したが、信号パターンをデータベース蓄積するための構成と擬似再現信号による検証作業を行うための構成を個別に有するようにしても良い。
【図面の簡単な説明】
【００５７】
【図１】第１の実施形態の全体構成を示すブロック図である。
【図２】実際のファクシミリ通信の信号波形の例である。
【図３】第１の実施形態の信号パターンを信号部品データベースに蓄積する手順を示したフローチャートである。
【図４】第１の実施形態のファクシミリ端末の応答信号を模擬再現する手順を示したフローチャートである。
【図５】第２の実施形態の全体構成を示すブロック図である。
【図６】第２の実施形態の信号パターンを信号部品データベースに蓄積する手順を示したフローチャートである。
【図７】第２の実施形態のファクシミリ端末の応答信号を模擬再現する手順を示したフローチャートである。
【符号の説明】
【００５８】
１…ファクシミリ通信試験装置、２、３…ファクシミリ端末、１０１…信号入力部、１０２…音声検出部、１０３…信号分離部、１０４…信号制御部、１０５…信号部品格納部、１０６…信号部品データベース、１０７、１１１…信号出力部、１０８…信号部品取出部、１０９…モデム変調部。
【図１】
2006217179.tif 000003
【図２】
2006217179.tif 000004
【図３】
2006217179.tif 000005
【図４】
2006217179.tif 000006
【図５】
2006217179.tif 000007
【図６】
2006217179.tif 000008
【図７】
2006217179.tif 000009